(57)【要約】【課題】夜間においても居室内から十分に中庭を鑑賞することが可能な住宅および住宅の照明方法を提供する。【解決手段】第１窓部（１４ａ）を備える居室（１１）と、第１窓部（１４ａ）に面する第１中庭（１２）と、第１中庭（１２）に光を照射する第１照明と、居室（１１）を挟んで第１窓部（１４ａ）に対向して設けられた第２窓部（１４ｂ）と、第２窓部（１４ｂ）に面する第２中庭（１３）と、第２中庭（１３）に光を照射する第２照明を備え、第１中庭（１２）の照度を第１照度とし、第２中庭（１３）の照度を第２照度とし、居室（１１）内の照度を居室照度とすると、第１照度または第２照度は居室照度よりも大きい住宅。【選択図】図１
2020180511.tif 000002
【特許請求の範囲】
【請求項１】
第１窓部を備える居室と、
前記第１窓部に面する第１中庭と、
前記第１中庭に光を照射する第１照明と、
前記居室を挟んで前記第１窓部に対向して設けられた第２窓部と、
前記第２窓部に面する第２中庭と、
前記第２中庭に光を照射する第２照明を備え、
前記第１中庭の照度を第１照度とし、前記第２中庭の照度を第２照度とし、前記居室内の照度を居室照度とすると、前記第１照度または第２照度は前記居室照度よりも大きいことを特徴とする住宅。
【請求項２】
請求項１に記載の住宅であって、
前記第１中庭を挟んで前記第２窓部に対向して設けられた第１壁部を備え、
前記第１照明は、前記第２壁部に対しても光を照射することを特徴とする住宅。
【請求項３】
請求項２に記載の住宅であって、
前記第２中庭を挟んで前記第２窓部に対向して設けられた第２壁部を備え、
前記第２照明は、前記第２壁部に対しても光を照射することを特徴とする住宅。
【請求項４】
請求項１または３に記載の住宅であって、
第１照明または第２照明は、前記居室の天井高よりも高い位置に設けられていることを特徴とする住宅。
【請求項５】
請求項１から４の何れか一つに記載の住宅であって、
前記居室の天井にグレアレスダウンライトを設けたことを特徴とする住宅。
【請求項６】
請求項５に記載の住宅であって、
前記グレアレスダウンライトは、前記第１窓部から５０ｃｍ以上離間して設けられていることを特徴とする住宅。
【請求項７】
第１窓部を備える居室と、
前記第１窓部に面する第１中庭と、
前記第１中庭に光を照射する第１照明と、
前記居室を挟んで前記第１窓部に対向して設けられた第２窓部と、
前記第２窓部に面する第２中庭と、
前記第２中庭に光を照射する第２照明を備え、
前記第１中庭の照度を第１照度とし、前記第２中庭の照度を第２照度とし、前記居室内
の照度を居室照度とすると、前記第１照度または前記第２照度は前記居室照度よりも大きいことを特徴とする住宅の照明方法。
【発明の詳細な説明】
【技術分野】
【０００１】
本発明は、住宅および住宅の照明方法に関し、特に中庭を壁で囲んだ住宅および住宅の照明方法に関する。
【背景技術】
【０００２】
従来から、敷地内に中庭を設けて、居住空間からの景観と開放感を実現する住宅が数多く提案されている（例えば特許文献１を参照）。中庭を備えた住宅では、複数の居室の間に中庭を配置して、それぞれの居室から中庭を鑑賞するとともに、敷地外から中庭への視線を遮ってプライバシーを確保している。また、中庭と敷地外との境界に外壁等を設けて敷地外からの視線を遮ることも行われている。
【０００３】
このようにプライバシーが確保された中庭を備えた住宅では、中庭に面した窓部の開口面積を大きくすることやカーテン等を用いないことにより、居室内からの中庭の視認性を高めることができる。またこれにより、居室内と中庭との境界を意識しにくくし、居室と中庭の一体感や連続性、開放感を実現することができる。
【先行技術文献】
【特許文献】
【０００４】
【特許文献１】特開２００３−１６６３５５号公報
【発明の概要】
【発明が解決しようとする課題】
【０００５】
しかし従来の中庭を備えた住宅では、夜間においては窓部に居室内の光景が映り込んでしまうため、カーテン等を用いないとしても中庭を十分に視認できず、居室から中庭を鑑賞して開放感を得ることが困難であった。
【０００６】
そこで本発明は、上記従来の問題点に鑑みなされたものであり、夜間においても居室内から十分に中庭を鑑賞することが可能な住宅および住宅の照明方法を提供することを目的とする。
【課題を解決するための手段】
【０００７】
上記課題を解決するために、本発明の住宅は、第１窓部を備える居室と、前記第１窓部に面する第１中庭と、前記第１中庭に光を照射する第１照明と、前記居室を挟んで前記第１窓部に対向して設けられた第２窓部と、前記第２窓部に面する第２中庭と、前記第２中庭に光を照射する第２照明を備え、前記第１中庭の照度を第１照度とし、前記第２中庭の照度を第２照度とし、前記居室内の照度を居室照度とすると、前記第１照度また前記第２照度は前記居室照度よりも大きいことを特徴とする。
【０００８】
このような本発明の住宅では、居室照度よりも第１照度または第２照度が大きいため、第１窓部または第２窓部に居室内が映り込むことを防止し、夜間においても居室内から十分に中庭を鑑賞することが可能となる。
【０００９】
また本発明の一態様では、前記第１中庭を挟んで前記第１窓部に対向して設けられた第１壁部を備え、前記第１照明は、前記第１壁部に対しても光を照射する。
【００１０】
また本発明の一態様では、前記第２中庭を挟んで前記第２窓部に対向して設けられた第２壁部を備え、前記第２照明は、前記第２壁部に対しても光を照射する。
【００１１】
また本発明の一態様では、第１照明または第２照明は、前記居室の天井高よりも高い位置に設けられている。
【００１２】
また本発明の一態様では、前記居室の天井にグレアレスダウンライトを設ける。
【００１３】
また本発明の一態様では、前記グレアレスダウンライトは、前記第１窓部から５０ｃｍ以上離間して設けられている。
【００１４】
また本発明の一態様では、前記第２中庭を挟んで前記第２窓部に対向して設けられた第２壁部を備え、前記第２照明は、前記第２壁部に対しても光を照射する。
【００１５】
また上記課題を解決するために、本発明の住宅の照明方法は、第１窓部を備える居室に居室照度の光を照射し、前記第１窓部に面する第１中庭に第１照度の光を照射し、前記第１照度は前記居室照度よりも大きいことを特徴とする。
【００１６】
また本発明の一態様では、前記第１中庭を挟んで前記第１窓部に対向して設けられた第１壁部に対しても光を照射する。
【発明の効果】
【００１７】
本発明では、夜間においても居室内から十分に中庭を鑑賞することが可能な住宅および住宅の照明方法を提供することができる。
【図面の簡単な説明】
【００１８】
【図１】第１実施形態における住宅の一階部分を模式的に示す平面図である。
【図２】第１実施形態における住宅の二階部分を模式的に示す平面図である。
【図３】夜間において第１中庭１２が暗い状態で第１窓部１４ａに居室１１内が映り込んだ様子を示す模式図である。
【図４】夜間において照明光を第１中庭１２に照射した状態で居室１１から第１中庭１２を見た様子を示す模式図である。
【図５】夜間において照明光を第２中庭１３に照射した状態で居室１１から第２中庭１３を見た様子を示す模式図である。
【発明を実施するための形態】
【００１９】
（第１実施形態）
以下、本発明の実施の形態について、図面を参照して詳細に説明する。各図面に示される同一または同等の構成要素、部材、処理には、同一の符号を付すものとし、適宜重複した説明は省略する。図１は、本実施形態における住宅の一階部分を模式的に示す平面図である。図２は、本実施形態における住宅の二階部分を模式的に示す平面図である。
【００２０】
図１に示すように、本実施形態の住宅は一階に居室１１と、第１中庭１２と、第２中庭１３と、第１窓部１４ａと、第２窓部１４ｂと、第１壁部１５ａと、第２壁部１５ｂを備えている。また、図２に示すように本実施形態の住宅は二階に二階居室２１と、第１照明１６ａと、第２照明１６ｂを備えている。
【００２１】
居室１１は、住宅の一階部分において住宅を構成する壁面で区切られた空間であり、その一部に第１窓部１４ａと第２窓部１４ｂが設けられている。第１窓部１４ａと第２窓部１４ｂは、居室１１を挟んで対向する位置に設けられている。図１では、居室１１がリビングルームの例を示しているが、ダイニングルームやキッチン、書斎等の人が居住する空間であれば用途は限定されない。また、第１窓部１４ａと第２窓部１４ｂは必ずしも一対で対向して設ける必要はない。
【００２２】
第１中庭１２および第２中庭１３は、住宅の敷地内において外気に解放された空間である。第１中庭１２は第１窓部１４ａと第１壁部１５ａに挟まれた位置に設けられており、第２中庭１３は第２窓部１４ｂと第２壁部１５ｂに挟まれた位置に設けられている。第１中庭１２および第２中庭１３では、地表面は建造物で覆われず植栽が設けられて小規模な庭園を形成している。ここでは第１中庭１２および第２中庭１３として地表面が露出した庭園の例を示したが、ウッドデッキやインターロッキング等で地表を覆う形式の中庭であってもよい。後述するように第１中庭１２および第２中庭１３には、それぞれに対して第１照明１６ａ，第２照明１６ｂから光を照射するため、人間の目線程度の高さを有する植栽やオブジェ等の被照射物を配置することが好ましい。
【００２３】
第１窓部１４ａは、居室１１の壁面の一部に設けられて第１中庭１２に面する窓であり、居室１１内から第１中庭１２を視認可能に仕切っている。第２窓部１４ｂは、居室１１の壁面の一部に設けられて第２中庭１３に面する窓であり、居室１１内から第２中庭１３を視認可能に仕切っている。第１窓部１４ａおよび第２窓部１４ｂの具体的構造は限定されないが、第１中庭１２や第２中庭１３との空間の連続性や一体感を高めるためには掃出し窓が好ましい。
【００２４】
第１壁部１５ａは、住宅の外壁の一部が延長された壁であり、第１中庭１２を挟んで第１窓部１４ａに対向して設けられている。図に示すように第１壁部１５ａは、敷地外と第１中庭１２とを仕切り、敷地外から第１中庭１２および居室１１を視認できないように目隠ししている。
【００２５】
第２壁部１５ｂは、住宅の外壁の一部が延長された壁であり、第２中庭１３を挟んで第２窓部１４ｂに対向して設けられている。図に示すように第２壁部１５ｂは、敷地外と第２中庭１３とを仕切り、敷地外から第２中庭１３および居室１１を視認できないように目隠ししている。
【００２６】
第１壁部１５ａおよび第２壁部１５ｂの具体的な構造は限定されないが、敷地外からの視線を有効に遮るためには、約１．８ｍ以上の高さとすることが好ましく、より好ましくは約２．０ｍ以上の高さとすることが好ましい。後述するように第１壁部１５ａと第２壁部１５ｂは、それぞれ第１照明１６ａと第２照明１６ｂから光を照射するため、良好にライトアップされる単色系の表面を有していることが好ましく、さらに好ましくは白色系の表面を有していることが好ましい。また、図１に示した例では、第１壁部１５ａおよび第２壁部１５ｂとして住宅の外壁を延長した構造例を示したが、住宅の外壁とは独立して設けられた壁であってもよい。
【００２７】
二階居室２１は、住宅の二階部分において住宅を構成する壁面で区切られた空間であり、その窓からは第１中庭１２と第２中庭１３を鑑賞可能となっている。また、二階居室２１の外側には、第１照明１６ａが第１中庭１２に向けて配置されており、第２照明１６ｂが第２中庭１３に向けて配置されている。
【００２８】
第１照明１６ａおよび第２照明１６ｂは、住宅の二階部分の外部に取り付けられた照明装置であり、それぞれ第１中庭１２と第２中庭１３に向けて配置されている。第１照明１６ａと第２照明１６ｂの具体的構成は限定されないが、白色から昼白色、電球色に相当する色温度の白色光を照射するものが好ましい。また、第１中庭１２と第２中庭１３に配置された植栽等を良好に照射するためには、赤色や緑色の波長成分を含んだ高演色性のものを用いることが好ましい。また、第１照明１６ａおよび第２照明１６ｂとしては、光の照射範囲を第１中庭１２や第２中庭１３に限定できるスポットライトが好ましく、省電力の観点から発光ダイオード等を光源として用いることが好ましい。
【００２９】
第１照明１６ａおよび第２照明１６ｂを居室１１の天井高よりも高い位置に設けると、第１中庭１２および第２中庭１３の広い領域に対して光を照射し、第１壁部１５ａおよび第２壁部１５ｂにまで良好に光を照射することができる。また、二階居室２１から第１中庭１２および第２中庭１３を鑑賞することも可能となる。
【００３０】
本実施形態の住宅では、第１照明１６ａの点灯と消灯を切り替えることで、第１中庭１２に対して光の照射と非照射を切り替える。このとき、第１中庭１２に照射された光の照度を第１照度とし、居室１１内の照度を居室照度としたときに、第１照度が居室照度よりも大きくなるように、第１照明１６ａからの光量を設定しておく。より具体的には、第１照明１６ａが光を照射する対象は第１中庭１２の地面と、植栽等の被照射物および第１壁部１５ａであり、これらの対象の面積や色彩に応じて第１照明１６ａの出力を調整する。居室照度としては、生活に支障が生じない程度の約５０〜約３００ルクスの範囲が好ましい。また、第１照度としては約３００〜約１０００ルクスの範囲が好ましい。
【００３１】
図３は、夜間において第１中庭１２が暗い状態で第１窓部１４ａに居室１１内が映り込んだ様子を示す模式図である。図３に示すように、居室１１の天井には複数の天井灯１７が設けられており、居室１１内には室内灯１８や家具１９が複数配置されている。第１照明１６ａを消灯した状態では、第１中庭１２が居室１１内よりも暗いため図中に示したように、第１窓部１４ａに居室１１内が映り込み、室内灯１８や家具１９の鏡像１８ａ，１９ａが視認されてしまう。この状態では、夜間において居室１１内から第１中庭１２を視認して鑑賞することが困難である。
【００３２】
図４は、夜間において照明光を第１中庭１２に照射した状態で居室１１から第１中庭１２を見た様子を示す模式図である。図４に示すように、第１照明１６ａを点灯して第１中庭１２および第１壁部１５ａに対して光を照射し、第１中庭１２の地面と、植栽等の被照射物および第１壁部１５ａを第１照度で照らす。この際に、天井灯１７および室内灯１８が居室１１内に照射する光量を適切に設定しておくことで、居室１１内を照射する居室照度を第１照度よりも小さくする。この状態では、居室１１内よりも第１中庭１２が明るくなるために第１窓部１４ａに居室１１内が映り込むことはなく、居室１１内から良好に第１中庭１２を視認して鑑賞することが可能である。
【００３３】
ここで、第１中庭１２に被照射物として人間の目線程度の高さを有する植栽やオブジェ等が配置してあると、第１窓部１４ａを介して第１中庭１２を視認した場合に高さ方向における広い範囲が第１照度で照らされるため、居室１１内の映り込みを効果的に抑制することができる。同様に、第１窓部１４ａと対向する第１壁部１５ａに対しても第１照明１６ａから光を照射することで、第１窓部１４ａを介して視認できる範囲の大部分が第１照度で照らされ、居室１１内の映り込みをより効果的に抑制することができる。
【００３４】
天井灯１７は、居室１１の天井に取り付けられた照明装置であり、必要に応じて複数個所に設けられている。天井灯１７の具体的な構成は限定されないが、居室１１内の所定領域に選択的に光を照射することができるように埋め込み型のダウンライトを用いることが好ましい。さらには、側方への光の照射量を抑制したグレアレスダウンライトを用いることで、第１窓部１４ａに天井灯１７が直接映り込むことを防止することができる。また、天井灯１７としてグレアレスダウンライトを用いる場合には、第１窓部１４ａから５０ｃｍ以上離れた位置、好ましくは１００ｃｍ以上離れた位置に取り付けることで、天井灯１７の直接の映り込みを防止するとともに、天井灯１７の直下領域が第１窓部１４ａに映り込むことを抑制することができる。
【００３５】
室内灯１８は、居室１１内の床等に配置された照明装置であり、例えばフロアスタンド型の照明器具を用いることができる。室内灯１８は、天井灯１７と併用して居室１１内に必要な照度を実現するためのものであり、必須の装置ではなく省略することが可能である。家具１９は、居室１１内に配置された椅子やテーブル、ソファ等の家具である。
【００３６】
上述した居室照度は、天井灯１７と室内灯１８が照射する光の合計と、居室１１内の面積や内装、家具１９の色調等によって変化するため、居室１１の実情に合わせて天井灯１７および室内灯１８の出力を設定する。特に、居室１１の床や壁、家具１９の色調は居室照度に与える影響が大きいため、明度の低い色調のものを用いることが好ましい。また、第１窓部１４ａへの映り込みを避けるためには、第１窓部１４ａから室内灯１８や家具１９までの距離を５０ｃｍ以上確保することが好ましく、１００ｃｍ以上確保することがさらに好ましい。
【００３７】
上述したように本実施形態の住宅では、第１中庭１２の照度を第１照度とし、居室１１内の照度を居室照度とし、第１照度を居室照度よりも大きくすることで、第１窓部１４ａに居室１１内が映り込むことを防止し、居室１１内から良好に第１中庭１２を視認して鑑賞することが可能となる。
【００３８】
（第２実施形態）
次に、本発明の第２実施形態について図５を用いて説明する。第１実施形態と重複する内容は説明を省略する。図５は、夜間において照明光を第２中庭１３に照射した状態で居室１１から第２中庭１３を見た様子を示す模式図である。本実施形態では、第１照明１６ａで第１中庭１２を第１照度で照らすとともに、第２照明１６ｂで第２中庭１３および第２壁部１５ｂを第２照度で照らす点が第１実施形態と異なっている。
【００３９】
第１実施形態と同様に、居室１１の天井には天井灯１７が設けられており、家具２０が配置されている。図５では、第２照明１６ｂを点灯して第２中庭１３および第２壁部１５ｂに対して光を照射し、第２中庭１３の地面と、植栽等の被照射物および第２壁部１５ｂを第２照度で照らす。この際に、居室１１内を照射する居室照度を第２照度よりも小さくする。この状態では、居室１１内よりも第２中庭１３が明るくなるために第２窓部１４ｂに居室１１内が映り込むことはなく、居室１１内から良好に第２中庭１３を視認して鑑賞することが可能である。
【００４０】
また本実施形態では、居室１１を挟んで第１窓部１４ａと第２窓部１４ｂが対向しており、第１中庭１２と第２中庭１３に第１照明１６ａと第２照明１６ｂから光を照射している。また、第１照度と第２照度は、ともに居室照度よりも大きい。これにより、第１窓部１４ａと第２窓部１４ｂに居室１１内が映り込むことを良好に防止できる。
【００４１】
実際には、第２中庭１３および第２壁部１５ｂからの光が第２窓部１４ｂを介して第１窓部１４ａに到達し、第１中庭１２および第１壁部１５ａからの光が第１窓部１４ａを介して第２窓部１４ｂに到達する。したがって、居室１１内の居室照度よりも高い照度である第１照度および第２照度が、それぞれ第２窓部１４ｂおよび第１窓部１４ａに入射して映り込みが生じる可能性がある。このような第１中庭１２と第２中庭１３の相互の映り込みは、第１壁部１５ａと第２壁部１５ｂに対して第１照明１６ａと第２照明１６ｂから光を照射することで視認し難くすることができる。これは、第１窓部１４ａに映り込んだ第２壁部１５ｂの鏡像と、第１窓部１４ａから視認できる第１壁部１５ａとが重なり合うことによる。同様に、第２窓部１４ｂに映り込んだ第１壁部１５ａの鏡像と、第２窓部１４ｂから視認できる第２壁部１５ｂとが重なり合うため、映り込みを視認し難くなる。
【００４２】
また、図５に示したように、第２窓部１４ｂの外側に居室１１の床と同系色の縁側を同レベルに設けることで、床が第２窓部１４ｂに映り込んだ場合にも、映り込みを認識し難くすることができる。
【００４３】
上述したように本実施形態では、第１中庭１２を第１照度で照射し、第２中庭１３を第２照度で照射し、第１照度と第２照度を居室照度よりも大きくすることで、第１窓部１４ａおよび第２窓部１４ｂに居室１１内が映り込むことを防止し、居室１１内から良好に第１中庭１２および第２中庭１３を視認して鑑賞することが可能となる。また、第１窓部１４ａと第２窓部１４ｂを対向して配置し、第１壁部１５ａおよび第２壁部１５ｂにも光を照射することで、第１中庭１２と第２中庭１３の相互の映り込みを認識し難くすることができる。
【００４４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００４５】
１１…居室
１２…第１中庭
１３…第２中庭
１４ａ…第１窓部
１４ｂ…第２窓部
１５ａ…第１壁部
１５ｂ…第２壁部
１６ａ…第１照明
１６ｂ…第２照明
１７…天井灯
１８…室内灯
１８ａ…鏡像
１９，２０…家具
２１…二階居室
【図１】
2020180511.tif 000003
【図２】
2020180511.tif 000004
【図３】
2020180511.tif 000005
【図４】
2020180511.tif 000006
【図５】
2020180511.tif 000007